(57)【要約】【課題】消費電力の増大を招くことなく、かつ手動による操作を要することなく表示手段の表示内容に対する視認性を向上できるデジタルカメラを得る。【解決手段】温度センサ６０により検出された温度が所定温度以下であり、かつ画像が光電管式バックライト４４Ｂを有する液晶ディスプレイ４４により表示されている場合に、当該画像の表示先を、ＬＥＤ式バックライト８８Ｂを有する電子ビュー・ファインダ８８に切り替える。【選択図】　　　　図３
2004048470.tif 000002
【特許請求の範囲】
【請求項１】
被写体を撮像して画像情報を得る撮像手段と、
少なくとも前記画像情報によって示される被写体像を表示すると共に表示面を照明するための光電管式バックライトを有する第１表示手段と、
少なくとも前記被写体像を表示すると共に表示面を照明するための発光ダイオード式バックライトを有する第２表示手段と、
温度を検出する温度検出手段と、
前記温度検出手段により検出された温度が所定温度以下であり、かつ画像が前記第１表示手段により表示されている場合に、当該画像の表示先を前記第２表示手段に切り替える切替手段と、
を備えたデジタルカメラ。
【請求項２】
前記切替手段によって前記画像の表示先が前記第２表示手段に切り替えられたとき、当該切り替えが行われたことを明示する明示手段
を更に備えた請求項１記載のデジタルカメラ。
【請求項３】
前記明示手段は、前記第１表示手段に前記切り替えが行われたことを示すメッセージを表示することにより当該切り替えが行われたことを明示する
請求項２記載のデジタルカメラ。
【発明の詳細な説明】
【０００１】
【発明の属する技術分野】
本発明は、デジタルカメラに係り、特に、光電管式バックライトを有する表示手段と発光ダイオード式バックライトを有する表示手段との２種類の表示手段を備えたデジタルカメラに関する。
【０００２】
【従来の技術】
現在のデジタルカメラには、主として撮影を行う際の被写体の構図を決定するために用いられるものとして、ファインダとは別に、ファインダより表示領域が広い液晶ディスプレイ（以下、「ＬＣＤ」ともいう。）により構成された外部モニタが備えられたものがある。この外部モニタにより、カメラ本体に目を接近させなくても被写体像の状態が確認できるので、デジタルカメラの使い勝手を大きく向上することができる。
【０００３】
ところで、ＬＣＤは液晶自体が発光するわけではなく、光の屈折率の変化を利用して表示を行うため、外部から光を照射する必要がある。この光の照射方法として、ＬＣＤの背面から光を照射するバックライトを用いる方法と、ＬＣＤの前面からの光を当該ＬＣＤの背面で反射させる方法と、の２つの方法が広く用いられており、前者の方法を適用したＬＣＤはバックライト型ＬＣＤと呼ばれ、後者の方法を適用したＬＣＤは反射型ＬＣＤと呼ばれている。
【０００４】
ここで、反射型ＬＣＤは照明光を発する光源を必要としないため、バックライト型ＬＣＤに比較して消費電力が少ない反面、暗い場所では利用できないため、暗い場所でも使用されるデジタルカメラでは、バックライト型ＬＣＤが広く用いられており、ＬＣＤで用いられるバックライトとしては、光源に光電管を用いた光電管式バックライトと、光源に発光ダイオードを用いた発光ダイオード式バックライトがあった。
【０００５】
【発明が解決しようとする課題】
しかしながら、光電管式バックライトを有するＬＣＤでは、低温時に輝度が低下してしまい、特に当該ＬＣＤを外部モニタとして用いた場合には、外部モニタはデジタルカメラの周辺の光（この光を本明細書では「外光」という。）が入射され易いため、表示画面が著しく視認し難くなってしまう、という問題点があった。この場合、野外の低温でかつ太陽光の強い場所（例えば、晴天時のスキー場等。）での当該デジタルカメラの使用は極めて困難である。
【０００６】
この場合に従来は、外部モニタの表示画面の明るさを手動で調整するようにしていたが、この場合には、手動での調整に著しく手間がかかると同時に、低温時における輝度の低下は光電管の宿命的なものであり、温度補正をかけても数倍の電流を流さなくては補正が不可能であるため、消費電力が極端に増大してしまう、という新たな問題点が生じる。
【０００７】
本発明は上記問題点を解消するためになされたものであり、消費電力の増大を招くことなく、かつ手動による操作を要することなく表示手段の表示内容に対する視認性を向上できるデジタルカメラを提供することを目的とする。
【０００８】
【課題を解決するための手段】
上記目的を達成するために、請求項１記載のデジタルカメラは、被写体を撮像して画像情報を得る撮像手段と、少なくとも前記画像情報によって示される被写体像を表示すると共に表示面を照明するための光電管式バックライトを有する第１表示手段と、少なくとも前記被写体像を表示すると共に表示面を照明するための発光ダイオード式バックライトを有する第２表示手段と、温度を検出する温度検出手段と、前記温度検出手段により検出された温度が所定温度以下であり、かつ画像が前記第１表示手段により表示されている場合に、当該画像の表示先を前記第２表示手段に切り替える切替手段と、を備えている。
【０００９】
請求項１に記載のデジタルカメラによれば、撮像手段によって被写体が撮像されて画像情報が得られる。なお、上記撮像手段には、ＣＣＤ（Ｃｈａｒｇｅ　Ｃｏｕｐｌｅｄ　Ｄｅｖｉｃｅ）、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）センサ等の固体撮像素子が含まれる。
【００１０】
ここで、請求項１に記載のデジタルカメラには、少なくとも上記画像情報によって示される被写体像を表示すると共に表示面を照明するための光電管式バックライトを有する第１表示手段と、少なくとも上記被写体像を表示すると共に表示面を照明するための発光ダイオード式バックライトを有する第２表示手段と、温度を検出する温度検出手段と、が備えられており、温度検出手段により検出された温度が所定温度以下であり、かつ画像（被写体像、各種メニュー画面の画像、各種メッセージ等の文字画像を含む。）が第１表示手段により表示されている場合に、切替手段によって当該画像の表示先が第２表示手段に切り替えられる。
【００１１】
なお、上記温度検出手段には、サーミスタ、バイメタル、熱電対、水晶温度計、水銀温度計、白金測温抵抗体、銅測温抵抗体等のあらゆる温度センサが含まれる。また、上記温度検出手段により検出される温度は、本発明に係るデジタルカメラの周辺の気温、及び当該デジタルカメラの内部温度の何れとしてもよいが、特に、第１表示手段の温度とすることが好ましい。更に、この場合、第１表示手段に備えられた光電管式バックライトの温度とすることが、より好ましい。
【００１２】
すなわち、本発明では、温度が所定温度以下である場合には第１表示手段による表示内容の視認性が悪いものと見なして、低温時でも表示内容の視認性が悪化しない発光ダイオード式バックライトを有する第２表示手段に表示先を自動的に切り替えるようにしており、この結果として、消費電力の増大を招くことなく、かつ手動による操作を要することなく表示手段の表示内容に対する視認性を向上することができるようにしている。
【００１３】
このように、請求項１に記載のデジタルカメラによれば、温度が所定温度以下であり、かつ画像が光電管式バックライトを有する第１表示手段により表示されている場合に、当該画像の表示先を、発光ダイオード式バックライトを有する第２表示手段に切り替えているので、消費電力の増大を招くことなく、かつ手動による操作を要することなく表示手段の表示内容に対する視認性を向上できる。
【００１４】
ところで、本発明では、第１表示手段により表示していた画像が第２表示手段で表示されるように切り替えられるので、第１表示手段が故障したとの誤解を招くおそれがある。
【００１５】
そこで、請求項２記載のデジタルカメラは、請求項１に記載の発明において、前記切替手段によって前記画像の表示先が前記第２表示手段に切り替えられたとき、当該切り替えが行われたことを明示する明示手段を更に備えたものである。
【００１６】
請求項２に記載のデジタルカメラによれば、本発明の切替手段によって画像の表示先が第２表示手段に切り替えられたとき、当該切り替えが行われたことが明示手段によって明示される。
【００１７】
このように、請求項２に記載のデジタルカメラによれば、請求項１に記載の発明と同様の効果を奏することができると共に、画像の表示先が第２表示手段に切り替えられたとき、当該切り替えが行われたことを明示しているので、第１表示手段が故障したものとの誤解の発生を回避することができる。
【００１８】
なお、請求項２に記載の発明における前記明示手段による明示は、スピーカ等を用いた音声（ブザー音の鳴動も含む。）による明示や、発光ダイオード等の発光素子の点灯、点滅等による明示を例示することができるが、特に、請求項３に記載の発明のように、前記第１表示手段に前記切り替えが行われたことを示すメッセージを表示することにより当該切り替えが行われたことを明示する形態が好ましい。
【００１９】
すなわち、第１表示手段に被写体像等の画像を表示している場合は、ユーザは当該第１表示手段を参照している可能性が非常に高いので、当該第１表示手段を用いて表示先の切り替えが行われた旨を示すメッセージを明示することにより、ユーザに対して表示先の切り替えが行われたことを、ほぼ確実に明示することができる。但し、このとき、第１表示手段は輝度が低下しており、視認性が悪化しているので、当該メッセージをできるだけ大きく表示することが、より好ましい。
【００２０】
【発明の実施の形態】
以下、図面を参照して、本発明の実施の形態について詳細に説明する。まず、図１を参照して、本実施の形態に係るデジタルカメラ１０の外観上の構成を説明する。
【００２１】
同図に示すように、デジタルカメラ１０の正面には、被写体像を結像させるためのレンズ２１が備えられており、上面には、撮影を実行する際にユーザによって押圧操作されるレリーズボタン（所謂シャッター）９２と、電源スイッチ９４と、が備えられている。
【００２２】
なお、本実施の形態に係るレリーズボタン９２は、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズボタン９２を半押し状態にすることによりＡＥ（Ａｕｔｏｍａｔｉｃ　Ｅｘｐｏｓｕｒｅ、自動露出）機能が働いて露出状態（シャッタースピード、絞りの状態）が設定された後、ＡＦ（Ａｕｔｏ　Ｆｏｃｕｓ、自動合焦）機能が働いて合焦制御され、その後、引き続き全押し状態にすると露光（撮影）が行われる。
【００２３】
一方、デジタルカメラ１０の背面には、電子ビュー・ファインダ（以下、「ＥＶＦ」という）８８の接眼部と、撮影によって得られたデジタル画像データにより示される被写体像や各種メニュー画面、メッセージ等を表示するためのＬＣＤ４４と、撮影を行うモードである撮影モード及び撮影によって得られたデジタル画像データにより示される被写体像をＬＣＤ４４に表示（再生）するモードである再生モードの何れかのモードに設定するために操作されるモード切替スイッチ９６と、ＬＣＤ４４の表示領域における上下左右の４方向の移動方向を示す４つの矢印キー及び当該４つの矢印キーの中央部に位置された決定キーの合計５つのキーを含んで構成された十字カーソルボタン９８と、各種画像の表示先をＥＶＦ８８及びＬＣＤ４４の何れかに切り替える際に操作されるＥＶＦ／ＬＣＤ切替スイッチ９９と、が備えられている。
【００２４】
なお、本実施の形態に係るデジタルカメラ１０では、ＥＶＦ８８として発光ダイオード式バックライト（以下、「ＬＥＤ式バックライト」という。）を有するＬＣＤを用いると共に、ＬＣＤ４４として光電管式バックライトを有するＬＣＤを用いている。
【００２５】
次に、図２を参照して、本実施の形態に係るデジタルカメラ１０の電気系の構成を説明する。
【００２６】
同図に示すように、デジタルカメラ１０は、前述のレンズ２１を含んで構成された光学ユニット２２と、レンズ２１の光軸後方に配設されたＣＣＤ２４と、相関二重サンプリング回路（以下、「ＣＤＳ」という。）を含んで構成されたアナログ信号処理部２６と、入力されたアナログ信号をデジタルデータに変換するアナログ／デジタル変換器（以下、「ＡＤＣ」という。）２８と、所定容量のラインバッファを内蔵し、かつ入力されたデジタル画像データを後述するメモリ７２の所定領域に直接記憶させる制御を行うと共に、デジタル画像データに対して各種の画像処理を行うデジタル信号処理部３０と、を含んで構成されている。ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。
【００２７】
ここで、ＣＤＳによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００２８】
一方、デジタルカメラ１０は、デジタル画像データにより示される画像やメニュー画面等をＬＣＤ４４に表示させるための信号を生成してＬＣＤ４４に供給するＬＣＤインタフェース４２と、デジタル画像データにより示される画像やメニュー画面等をＥＶＦ８８に表示させるための信号を生成してＥＶＦ８８に供給するＬＣＤインタフェース４６と、デジタルカメラ１０全体の動作を司るＣＰＵ（中央処理装置）５０と、主として撮影により得られたデジタル画像データを記憶するＶＲＡＭ（Ｖｉｄｅｏ　ＲＡＭ）により構成されたメモリ７２と、メモリ７２に対するアクセスの制御を行うメモリインタフェース７０と、スマートメディア（Ｓｍａｒｔ　Ｍｅｄｉａ（Ｒ））により構成されたメモリカード８２をデジタルカメラ１０でアクセス可能とするための外部メモリインタフェース８０と、所定の圧縮形式でデジタル画像データに対して圧縮処理を施す一方、圧縮処理されたデジタル画像データに対して圧縮形式に応じた伸張処理を施す圧縮・伸張処理回路８６と、を含んで構成されている。
【００２９】
デジタル信号処理部３０、ＬＣＤインタフェース４２、ＬＣＤインタフェース４６、ＣＰＵ５０、メモリインタフェース７０、外部メモリインタフェース８０、及び圧縮・伸張処理回路８６はシステムバスＢＵＳを介して相互に接続されている。従って、ＣＰＵ５０は、デジタル信号処理部３０及び圧縮・伸張処理回路８６の作動の制御、ＬＣＤ４４及びＥＶＦ８８に対するＬＣＤインタフェース４２ないしＬＣＤインタフェース４６を介した各種情報の表示、メモリ７２及びメモリカード８２へのメモリインタフェース７０ないし外部メモリインタフェース８０を介したアクセスを行うことができる。
【００３０】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ５０によりタイミングジェネレータ３２を介して制御される。
【００３１】
更に、デジタルカメラ１０にはモータ駆動部３４が備えられており、光学ユニット２２に備えられた焦点調整モータ、ズームモータ及び絞り駆動モータの駆動もＣＰＵ５０によりモータ駆動部３４を介して制御される。
【００３２】
すなわち、本実施の形態に係る光学ユニット２２に含まれるレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ５０の制御下でモータ駆動部３４から供給された駆動信号によって駆動される。
【００３３】
ＣＰＵ５０は、光学ズーム倍率を変更する際にはズームモータを駆動制御して光学ユニット２２に含まれるレンズ２１の焦点距離を変化させる。
【００３４】
また、ＣＰＵ５０は、ＣＣＤ２４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Ｔｈｒｏｕｇｈ　Ｔｈｅ　Ｌｅｎｓ）方式を採用している。
【００３５】
更に、前述のレリーズボタン９２、電源スイッチ９４、モード切替スイッチ９６、十字カーソルボタン９８、及びＥＶＦ／ＬＣＤ切替スイッチ９９の各種ボタン類及びスイッチ類（同図では、「操作部９０」と総称。）はＣＰＵ５０に接続されており、ＣＰＵ５０は、これらの操作部９０に対する操作状態を常時把握できる。
【００３６】
また、ＣＰＵ５０には、サーミスタによって構成された温度センサ６０がＡＤＣ６２を介して接続されており、ＣＰＵ５０は温度センサ６０により検出された温度を常時把握できる。
【００３７】
図３には、温度センサ６０の設置位置、及びＣＰＵ５０と温度センサ６０、ＬＣＤ４４、及びＥＶＦ８８との間の接続状態が示されている。同図に示すように、ＬＣＤ４４は、ＬＣＤパネル４４Ａ及び光電管式バックライト４４Ｂと、これらを保護するための液晶金属カバー４４Ｃとを含んで構成されており、ＥＶＦ８８は、ＬＣＤパネル８８Ａ及びＬＥＤ式バックライト８８Ｂと、これらを保護するための液晶金属カバー８８Ｃとを含んで構成されている。
【００３８】
同図に示すように、温度センサ６０はＬＣＤ４４の液晶金属カバー４４Ｃに取り付けられており、従って、ＣＰＵ５０は液晶金属カバー４４Ｃの温度をデジタルデータとして取得することができる。
【００３９】
また、ＣＰＵ５０はＬＣＤインタフェース４２を介してＬＣＤ４４のＬＣＤパネル４４Ａに、ＬＣＤインタフェース４６を介してＥＶＦ８８のＬＣＤパネル８８Ａに、各々接続されている。従って、ＣＰＵ５０は、表示すべき画像を示す映像信号をＬＣＤインタフェース４２及びＬＣＤインタフェース４６の何れか一方に出力することにより、当該画像をＬＣＤ４４及びＥＶＦ８８の何れかに選択的に表示させることができる。
【００４０】
ところで、デジタルカメラ１０には、温度センサ６０によって検出された温度が所定温度以下である場合に被写体像やメッセージ等の各種情報の表示先を自動的にＬＣＤ４４からＥＶＦ８８に切り替える機能（以下、「表示先自動切替機能」という。）が備えられており、当該表示先自動切替機能を働かせるか否かは、ＬＣＤ４４に表示される不図示のメニュー画面上で十字カーソルボタン９８の操作によって設定される。なお、表示先自動切替機能を働かせない場合には、ＥＶＦ／ＬＣＤ切替スイッチ９９に対する操作により、手動で各種情報の表示先を切り替えることができる。
【００４１】
ＣＣＤ２４が本発明の撮像手段に、ＬＣＤ４４が本発明の第１表示手段に、ＥＶＦ８８が本発明の第２表示手段に、温度センサ６０が本発明の温度検出手段に、ＣＰＵ５０が本発明の切替手段及び明示手段に、各々相当する。
【００４２】
次に、本実施の形態に係るデジタルカメラ１０の作用を説明する。まず、撮影時におけるデジタルカメラ１０の全体的な動作について簡単に説明する。
【００４３】
光学ユニット２２を介した撮像によってＣＣＤ２４から出力された被写体像を示す信号は順次アナログ信号処理部２６に入力されて相関二重サンプリング処理等のアナログ信号処理が施された後にＡＤＣ２８に入力され、ＡＤＣ２８は、アナログ信号処理部２６から入力されたＲ（赤）、Ｇ（緑）、Ｂ（青）の信号を各々１２ビットのＲ、Ｇ、Ｂ信号（デジタル画像データ）に変換してデジタル信号処理部３０に出力する。
【００４４】
デジタル信号処理部３０は内蔵しているラインバッファにＡＤＣ２８から順次入力されるデジタル画像データを蓄積して一旦メモリ７２の所定領域に格納する。
【００４５】
メモリ７２の所定領域に格納されたデジタル画像データは、ＣＰＵ５０による制御下でデジタル信号処理部３０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ７２の上記所定領域とは異なる領域に格納する。
【００４６】
なお、本実施の形態に係るＬＣＤ４４は、ＣＣＤ２４による連続的な撮像によって得られた動画像（スルー画像）を表示してファインダとして使用することができるものとして構成されているが、このようにＬＣＤ４４をファインダとして使用する場合には、生成したＹＣ信号（映像信号）を、ＬＣＤインタフェース４２を介して順次ＬＣＤ４４に出力する。これによってＬＣＤ４４にスルー画像が表示されることになる。
【００４７】
ここで、レリーズボタン９２がユーザによって半押し状態とされた場合、前述のようにＡＥ機能が働いて露出状態が設定された後、ＡＦ機能が働いて合焦制御され、その後、引き続き全押し状態とされた場合、この時点でメモリ７２に格納されているＹＣ信号を、圧縮・伸張処理回路８６によって所定の圧縮形式（本実施の形態では、ＪＰＥＧ形式）で圧縮した後に外部メモリインタフェース８０を介してメモリカード８２に記録することによって撮影が行われる。
【００４８】
次に、図４を参照して、デジタルカメラ１０で実行される表示切替処理について説明する。なお、図４は、ユーザにより不図示のメニュー画面上で表示先自動切替機能を働かせるモードが設定されているとき、所定時間毎（本実施の形態では、１秒）にデジタルカメラ１０のＣＰＵ５０により実行される表示切替処理プログラムの処理の流れを示すフローチャートである。
【００４９】
同図のステップ１００では、この時点の各種情報の表示先がＬＣＤ４４となっているか否かを判定し、否定判定の場合は本表示切替処理プログラムを終了し、肯定判定の場合にはステップ１０２に移行する。
【００５０】
ステップ１０２では、温度センサ６０からＡＤＣ６２を介して温度Ｔを示す情報を取得し、次のステップ１０４では、取得した情報によって示される温度Ｔが所定温度以下であるか否かを判定し、否定判定の場合は本表示切替処理プログラムを終了し、肯定判定の場合にはステップ１０６に移行する。
【００５１】
なお、上記所定温度としては、温度センサ６０によって得られる温度が当該温度以下であるときにＬＣＤ４４による表示内容の把握が難しいとされる値として、人による官能試験やコンピュータ・シミュレーション等により予め得られた固定値を適用することもできるが、当該値は撮影場所の明るさ等の撮影環境や、光電管式バックライト４４Ｂの温度特性によっても左右されるものであるので、ユーザにより任意に設定できるようにしておくことが好ましい。
【００５２】
ステップ１０６では、ＬＣＤ４４に表示していた画像の表示先をＬＣＤ４４からＥＶＦ８８に切り替え、次のステップ１０８では、当該切り替えが行われたことを示すメッセージをＬＣＤ４４に表示させ、その後に本表示切替処理プログラムを終了する。
【００５３】
図５には、上記ステップ１０８の処理によってＬＣＤ４４のＬＣＤパネル４４Ａに表示されたメッセージの一例が示されている。同図に示す例では、表示先をＬＣＤ４４からＥＶＦ８８に切り替えたことを、「ファインダー使用中」というメッセージで明示している。なお、同図では、当該メッセージをできるだけ大きな文字として表示しており、これにより、ユーザに極力視認され易くしている。
【００５４】
上記表示切替処理プログラムのステップ１０６の処理が本発明の切替手段に、ステップ１０８の処理が本発明の明示手段に、各々相当する。
【００５５】
以上詳細に説明したように、本実施の形態に係るデジタルカメラ１０では、温度が所定温度以下であり、かつ画像が光電管式バックライトを有するＬＣＤ４４により表示されている場合に、当該画像の表示先を、ＬＥＤ式バックライトを有するＥＶＦ８８に切り替えているので、消費電力の増大を招くことなく、かつ手動による操作を要することなく表示手段の表示内容に対する視認性を向上できる。
【００５６】
また、本実施の形態に係るデジタルカメラ１０では、画像の表示先がＥＶＦ８８に切り替えられたとき、当該切り替えが行われたことを明示しているので、ＬＣＤ４４が故障したものとの誤解の発生を回避することができる。
【００５７】
更に、本実施の形態に係るデジタルカメラ１０では、ＬＣＤ４４に対して、表示先の切り替えが行われたことを示すメッセージを表示することにより当該切り替えが行われたことを明示しているので、ユーザに対して表示先の切り替えが行われたことを、ほぼ確実に明示することができる。
【００５８】
なお、本実施の形態では、本発明の切替手段をＣＰＵ５０によりソフトウェアの処理として実現する場合について説明したが、本発明はこれに限定されるものではなく、例えば、図６に示すように、映像信号のＬＣＤ４４への出力とＥＶＦ８８への出力との切り替えが可能に構成された映像信号スイッチャ７６を用いると共に、プルアップ抵抗７９によってプルアップされ、かつサーミスタ等によって構成された温度センサ７８と映像信号スイッチャ７６との間にＡ／Ｄ入力式コントローラ７４を介在させ、当該Ａ／Ｄ入力式コントローラ７４により、温度センサ７８によって検出された温度が所定温度以下である場合に映像信号をＥＶＦ８８に出力させ、他の場合に映像信号をＬＣＤ４４に出力させるように切り替える切替信号を映像信号スイッチャ７６に入力することによって本発明の切替手段を実現する形態とすることもできる。
【００５９】
この場合は、本実施の形態に比較して、デジタルカメラ１０の小型化の面では不利であるものの、ＣＰＵ５０に対する処理の負荷を分散することができる。
【００６０】
更に、本実施の形態において説明した表示切替処理（図４参照）の流れは一例であり、本発明の主旨を逸脱しない範囲内において適宜変更可能であることは言うまでもない。
【００６１】
【発明の効果】
請求項１に記載のデジタルカメラによれば、温度が所定温度以下であり、かつ画像が光電管式バックライトを有する第１表示手段により表示されている場合に、当該画像の表示先を、発光ダイオード式バックライトを有する第２表示手段に切り替えているので、消費電力の増大を招くことなく、かつ手動による操作を要することなく表示手段の表示内容に対する視認性を向上できる、という効果が得られる。
【００６２】
また、請求項２に記載のデジタルカメラによれば、画像の表示先が第２表示手段に切り替えられたとき、当該切り替えが行われたことを明示しているので、第１表示手段が故障したものとの誤解の発生を回避することができる、という効果が得られる。
【００６３】
更に、請求項３に記載のデジタルカメラによれば、第１表示手段に切り替えが行われたことを示すメッセージを表示することにより当該切り替えが行われたことを明示しているので、ユーザに対して表示先の切り替えが行われたことを、ほぼ確実に明示することができる、という効果が得られる。
【図面の簡単な説明】
【図１】実施の形態に係るデジタルカメラ１０の外観を示す外観図である。
【図２】実施の形態に係るデジタルカメラ１０の電気系の構成を示すブロック図である。
【図３】実施の形態に係るデジタルカメラ１０における温度センサ６０の設置位置、及びＣＰＵ５０と温度センサ６０、ＬＣＤ４４、及びＥＶＦ８８との間の接続状態を示す模式図である。
【図４】実施の形態に係るデジタルカメラ１０で実行される表示切替処理プログラムの処理の流れを示すフローチャートである。
【図５】実施の形態に係る表示切替処理プログラムの実行途中でＬＣＤ４４に表示されるメッセージの一例を示す概略図である。
【図６】他の実施の形態の一例を示す一部回路図である。
【符号の説明】
１０　　デジタルカメラ
２４　　ＣＣＤ（撮像手段）
４４　　液晶ディスプレイ（第１表示手段）
５０　　ＣＰＵ（切替手段及び明示手段）
６０　　温度センサ（温度検出手段）
８８　　電子ビュー・ファインダ（第２表示手段）
【図１】
2004048470.tif 000003
【図２】
2004048470.tif 000004
【図３】
2004048470.tif 000005
【図４】
2004048470.tif 000006
【図５】
2004048470.tif 000007
【図６】
2004048470.tif 000008